(57)【特許請求の範囲】
【請求項１】
無線通信方法であって、
端末装置がネットワーク装置から送信されたトリガーシグナリングを受信し、前記トリガーシグナリングは前記端末装置の非周期的チャネル状態情報参照信号ＣＳＩ−ＲＳリソースを活性化することに用いられるステップと、
前記トリガーシグナリングを受信した後に、前記端末装置が前記非周期的ＣＳＩ−ＲＳリソースでＣＳＩ測定を行って第１ＣＳＩを取得するステップと、
前記第１ＣＳＩの送信と前記トリガーシグナリングの受信との間の複数のタイミング関係に基づいて、前記端末装置が前記ネットワーク装置へ前記第１ＣＳＩを送信するタイムドメインリソースを確定するステップと、
前記タイムドメインリソースを使用して、前記端末装置が前記ネットワーク装置へ前記第１ＣＳＩを送信するステップと、を含み、
ここで、前記トリガーシグナリングは複数のタイミング関係の設定情報を含み、
前記第１ＣＳＩの送信と前記トリガーシグナリングの受信との間の複数のタイミング関係に基づいて、前記端末装置が前記ネットワーク装置へ前記第１ＣＳＩを送信するタイムドメインリソースを確定する前に、前記方法は更に、
前記複数のタイミング関係の設定情報の指示ドメインに基づいて、前記第１ＣＳＩの送信と前記トリガーシグナリングの受信との間の複数のタイミング関係を確定することを含み、ここで、異なるＣＳＩ内容について、同じ指示ドメインが指示するタイミング関係が異なることを特徴とする無線通信方法。
【請求項２】
前記第１ＣＳＩは、
ＣＳＩ−ＲＳリソースインジケータＣＲＩ、ランク指示ＲＩ、プリコーディング行列インジケータＰＭＩ、チャネル品質情報ＣＱＩ、チャネル情報の量子化値及び干渉の量子化値の中の少なくとも１つを含むことを特徴とする請求項１に記載の方法。
【請求項３】
前記端末装置が非周期的ＣＳＩ−ＲＳリソースで、ＣＳＩ測定を行って第１ＣＳＩを取得するステップは、
前記端末装置が前記第１ＣＳＩに含まれる必要がある内容に基づき、
前記非周期的ＣＳＩ−ＲＳリソースのリソース及び／又は設定、ＣＳＩ−ＲＳの測定に使用されるＣＳＩ−ＲＳポートの数、及び前記非周期的ＣＳＩ−ＲＳリソースにおけるＣＳＩ−ＲＳ信号の送信ビームの仮定の中の少なくとも１つを確定し、且つその中の少なくとも１つに基づき、前記ＣＳＩ測定を行って前記第１ＣＳＩを取得することを含むことを特徴とする請求項１又は２に記載の方法。
【請求項４】
前記第１ＣＳＩの送信と前記トリガーシグナリングの受信との間の複数のタイミング関係に基づいて、前記端末装置が前記ネットワーク装置へ前記第１ＣＳＩを送信するタイムドメインリソースを確定する前に、前記方法は、更に、
前記第１ＣＳＩに含まれた少なくとも１つの内容に基づき、前記複数のタイミング関係を確定するステップを含むことを特徴とする請求項１〜３のいずれかに記載の方法。
【請求項５】
前記トリガーシグナリングは第３情報を含み、前記第３情報は前記端末装置が前記第１ＣＳＩを送信する回数を指示することに用いられ、
前記端末装置が前記ネットワーク装置へ前記第１ＣＳＩを送信するステップは、前記第３情報が指示する送信回数に基づき、前記端末装置が前記第１ＣＳＩを送信することを含むことを特徴とする請求項１〜４のいずれかに記載の方法。
【請求項６】
前記方法は更に、
前記トリガーシグナリングを受信した後に、第１干渉測定リソースＩＭＲを確定するステップと、
前記第１ＩＭＲリソースで、干渉測定を行って干渉結果を取得するステップと、
前記干渉結果及び前記ＣＳＩ測定を行った結果を組み合わせて、前記第１ＣＳＩを取得するステップと、を含むことを特徴とする請求項１〜５のいずれかに記載の方法。
【請求項７】
前記の第１干渉測定リソースを確定するステップは、
前記端末装置が非周期的干渉測定のためのＩＭＲリソースから、前記トリガーシグナリングを受信した後に最も近いリソースを前記第１ＩＭＲリソースとして確定することを含むことを特徴とする請求項６に記載の方法。
【請求項８】
端末装置であって、送受信ユニット及び処理ユニットを備え、
前記送受信ユニットは、ネットワーク装置が送信したトリガーシグナリングを受信することに用いられ、前記トリガーシグナリングは前記端末装置がチャネル状態情報ＣＳＩ測定を行うようにトリガーすることに用いられ、
前記処理ユニットは、前記送受信ユニットが前記トリガーシグナリングを受信した後に、非周期的チャネル状態情報参照信号ＣＳＩ−ＲＳリソースで、ＣＳＩ測定を行って第１ＣＳＩを取得することに用いられ、
前記処理ユニットは更に、前記第１ＣＳＩの送信と前記トリガーシグナリングの受信との間の複数のタイミング関係に基づいて、前記ネットワーク装置へ前記第１ＣＳＩを送信するタイムドメインリソースを確定することに用いられ、
前記送受信ユニットは更に、前記タイムドメインリソースを使用して、前記ネットワーク装置へ前記第１ＣＳＩを送信することに用いられ、
ここで、前記トリガーシグナリングは複数のタイミング関係の設定情報を含み、
前記第１ＣＳＩの送信と前記トリガーシグナリングの受信との間の複数のタイミング関係に基づいて、前記端末装置が前記ネットワーク装置へ前記第１ＣＳＩを送信するタイムドメインリソースを確定する前に、前記処理ユニットは更に、
前記複数のタイミング関係の設定情報の指示ドメインに基づいて、前記第１ＣＳＩの送信と前記トリガーシグナリングの受信との間の複数のタイミング関係を確定することに用いられ、ここで、異なるＣＳＩ内容について、同じ指示ドメインが指示するタイミング関係が異なることを特徴とする端末装置。
【請求項９】
前記第１ＣＳＩは、
ＣＳＩ−ＲＳリソースインジケータＣＲＩ、ランク指示ＲＩ、プリコーディング行列インジケータＰＭＩ、チャネル品質情報ＣＱＩ、チャネル情報の量子化値及び干渉の量子化値の中の少なくとも１つを含むことを特徴とする請求項８に記載の端末装置。
【請求項１０】
前記処理ユニットは更に、
前記第１ＣＳＩに含まれる必要がある内容に基づき、
前記非周期的ＣＳＩ−ＲＳリソースのリソース及び／又は設定、ＣＳＩ−ＲＳの測定に使用されるＣＳＩ−ＲＳポートの数、及び前記非周期的ＣＳＩ−ＲＳリソースにおけるＣＳＩ−ＲＳ信号の送信ビームの仮定の中の少なくとも１種を確定し、且つその中の少なくとも１種に基づき、前記ＣＳＩ測定を行って前記第１ＣＳＩを取得することに用いられることを特徴とする請求項８又は９に記載の端末装置。
【請求項１１】
前記処理ユニットは更に、前記第１ＣＳＩの送信と前記トリガーシグナリングの受信との間の複数のタイミング関係に基づいて、前記ネットワーク装置へ前記第１ＣＳＩを送信するタイムドメインリソースを確定する前に、前記第１ＣＳＩに含まれた内容に基づき、前記複数のタイミング関係を確定することに用いられることを特徴とする請求項８〜１０のいずれかに記載の端末装置。
【請求項１２】
前記トリガーシグナリングは第３情報を含み、前記第３情報は前記第１ＣＳＩを送信する回数を指示することに用いられ、
前記送受信ユニットは更に、前記第３情報が指示する送信回数に基づき、前記第１ＣＳＩを送信することに用いられることを特徴とする請求項８〜１１のいずれかに記載の端末装置。
【請求項１３】
前記処理ユニットは更に、
前記トリガーシグナリングを受信した後に、第１干渉測定リソースＩＭＲを確定すること、
前記第１ＩＭＲリソースで、干渉測定を行って干渉結果を取得すること、及び
前記干渉結果及び前記ＣＳＩ測定を行った結果を組み合わせて、前記第１ＣＳＩを取得することに用いられることを特徴とする請求項８〜１２のいずれかに記載の端末装置。
【発明の詳細な説明】
【技術分野】
【０００１】
本願は通信分野に関し、且つより具体的に、無線通信方法、端末装置及びネットワーク装置に関する。
【背景技術】
【０００２】
ロングタームエボリューション（Ｌｏｎｇ  Ｔｅｒｍ  Ｅｖｏｌｕｔｉｏｎ、ＬＴＥ）通信システムにおいて、チャネル状態情報（Ｃｈａｎｎｅｌ  Ｓｔａｔｅ  Ｉｎｆｏｒｍａｔｉｏｎ  Ｒｅｆｅｒｅｎｃｅ、ＣＳＩ）を取得するように、端末装置はネットワーク装置が送信したチャネル状態情報参照信号（Ｃｈａｎｎｅｌ  Ｓｔａｔｅ  Ｉｎｆｏｒｍａｔｉｏｎ  Ｒｅｆｅｒｅｎｃｅ  Ｓｉｇｎａｌ、  ＣＳＩ−ＲＳ  ）を測定することができる。
【０００３】
現在、５Ｇ通信システムを討論していて、５Ｇ通信システムにおいて、５Ｇ通信システムの通信性能に対する要求を満たすように、如何にＣＳＩのフィードバックを実現するかは、解決すべき緊急の問題である。
【発明の概要】
【発明が解決しようとする課題】
【０００４】
本願の実施例は無線通信方法、端末装置及びネットワーク装置を提供し、５Ｇ通信システムの通信性能に対する要求を満たすことができる。
【０００５】
【課題を解決するための手段】
【０００６】
第１態様は、無線通信方法を提供し、
端末装置がネットワーク装置から送信されたトリガーシグナリングを受信し、前記トリガーシグナリングは前記端末装置の非周期的チャネル状態情報参照信号ＣＳＩ−ＲＳリソースを活性化することに用いられるステップと、
前記トリガーシグナリングを受信した後に、前記端末装置が非周期的チャネル状態情報参照信号ＣＳＩ−ＲＳリソースで、前記ＣＳＩ測定を行って第１ＣＳＩを取得するステップと、
前記第１ＣＳＩの送信と前記トリガーシグナリングの受信或いは前記ＣＳＩ測定との間のタイミング関係に基づいて、前記端末装置が前記ネットワーク装置へ前記第１ＣＳＩを送信するタイムドメインリソースを確定するステップと、
前記タイムドメインリソースを使用して、前記端末装置が前記ネットワーク装置へ前記第１ＣＳＩを送信するステップと、を含む。
【０００７】
第１態様を組み合わせ、第１態様の１つの可能な実現方法において、前記第１ＣＳＩは、
ＣＳＩ−ＲＳリソースインジケータＣＲＩ、ランク指示ＲＩ、プリコーディング行列インジケータＰＭＩ、チャネル品質情報ＣＱＩ、チャネル情報の量子化値及び干渉の量子化値の中の少なくとも１つを含む。
【０００８】
第１態様又はその以上の任意の１つの可能な実現方法を組み合わせて、第１態様の他の可能な実現方法において、前記端末装置が非周期的ＣＳＩ−ＲＳリソースで、前記ＣＳＩ測定を行って第１ＣＳＩを取得するステップは、
前記端末装置が前記第１ＣＳＩに含まれた内容に基づき、
前記非周期的ＣＳＩ−ＲＳリソースのリソース及び／又は設定、ＣＳＩ−ＲＳの測定に使用されるＣＳＩ−ＲＳポートの数、及び前記非周期的ＣＳＩ−ＲＳリソースにおけるＣＳＩ−ＲＳ信号の送信ビームの仮定の中の少なくとも１つを確定し、且つその中の少なくとも１つに基づき、前記ＣＳＩ測定を行って前記第１ＣＳＩを取得することを含む。
【０００９】
第１態様又は以上のその任意の１つの可能な実現方法を組み合わせて、第１態様の他の可能な実現方法において、前記の前記第１ＣＳＩの送信と前記トリガーシグナリングの受信及び前記ＣＳＩ測定の間のタイミング関係に基づいて、前記端末装置が前記ネットワーク装置へ前記第１ＣＳＩを送信するタイムドメインリソースを確定する前に、前記方法は、更に、
前記第１ＣＳＩに含まれた内容に基づき、前記タイミング関係を確定するステップを含む。
【００１０】
第１態様又は以上のその任意の１つの可能な実現方法を組み合わせて、第１態様の他の可能な実現方法において、前記トリガーシグナリングは第１情報を含み、前記第１情報が前記第１ＣＳＩに含まれた内容を指示することに用いられ、
前記端末装置が非周期的ＣＳＩ−ＲＳリソースで、前記ＣＳＩ測定を行うステップは、
前記端末装置が前記第１情報に基づき、前記第１ＣＳＩ−ＲＳリソースで、前記ＣＳＩ測定を行って前記第１ＣＳＩを取得し、ここで、前記第１ＣＳＩは前記第１情報に指示された前記内容を含むことを含む。
【００１１】
第１態様又は以上のその任意の１つの可能な実現方法を組み合わせて、第１態様の他の可能な実現方法において、前記第１情報は
ＣＲＩ、或いは
ＲＩ、ＰＭＩ及びＣＱＩ、或いは
ＣＲＩ、ＲＩ、ＰＭＩ及びＣＱＩ、或いは
ＲＩ及びＣＱＩ、或いは
ＣＲＩ、ＲＩ及びＣＱＩの中の１つを指示することに用いられる。
【００１２】
第１態様又は以上のその任意の１つの可能な実現方法を組み合わせて、第１態様の他の可能な実現方法において、前記トリガーシグナリングは第２情報を含み、前記第２情報はタイミング関係の設定情報であり、
前記の前記第１ＣＳＩの送信と前記トリガーシグナリングの受信或いは前記ＣＳＩ測定との間のタイミング関係に基づいて、前記端末装置が前記ネットワーク装置へ前記第１ＣＳＩを送信するタイムドメインリソースを確定する前に、前記方法は更に、
前記タイミング関係の設定情報に基づき、前記第１ＣＳＩの送信と前記トリガーシグナリングの受信或いは前記ＣＳＩ測定との間のタイミング関係を確定するステップを含む。
【００１３】
第１態様又は以上のその任意の１つの可能な実現方法を組み合わせて、第１態様の他の可能な実現方法において、前記端末装置が前記ネットワーク装置へ前記第１ＣＳＩを送信するステップは、
前記ネットワーク装置へ前記第１ＣＳＩを複数回送信することを含む。
【００１４】
第１態様又は以上のその任意の１つの可能な実現方法を組み合わせて、第１態様の他の可能な実現方法において、前記トリガーシグナリングは第３情報を含み、前記第３情報は前記端末装置が前記第１ＣＳＩを送信する回数を指示することに用いられ、
前記端末装置が前記ネットワーク装置へ前記第１ＣＳＩを送信するステップは、前記第３情報が指示する送信回数に基づき、前記端末装置が前記第１ＣＳＩを送信することを含む。
【００１５】
第１態様又は以上のその任意の１つの可能な実現方法を組み合わせて、第１態様の他の可能な実現方法において、毎回送信される前記第１ＣＳＩと他の回で送信される第１ＣＳＩに対する測定設定情報が異なる。
【００１６】
第１態様又は以上のその任意の１つの可能な実現方法を組み合わせて、第１態様の他の可能な実現方法において、前記端末装置が非周期的ＣＳＩ−ＲＳリソースで、前記ＣＳＩ測定を行って第１ＣＳＩを取得する前に、前記方法は、更に、
前記端末装置が非周期的ＣＳＩ−ＲＳ伝送のためのリソースから、前記トリガーシグナリングを受信した後に最も近いリソースを前記非周期的ＣＳＩ−ＲＳリソースとして確定するステップを含む。
【００１７】
第１態様又は以上のその任意の１つの可能な実現方法を組み合わせて、第１態様の他の可能な実現方法において、前記方法は、更に、
前記トリガーシグナリングを受信した後に、第１干渉測定リソースＩＭＲを確定するステップと、
前記第１ＩＭＲリソースで、干渉測定を行って干渉結果を取得するステップと、
前記干渉結果及び前記ＣＳＩ測定を行った結果を組み合わせて、前記第１ＣＳＩを取得するステップと、を含む
【００１８】
第１態様又は以上のその任意の１つの可能な実現方法を組み合わせて、第１態様の他の可能な実現方法において、前記の第１干渉測定リソースを確定するステップは、
前記端末装置が非周期的干渉測定のためのＩＭＲリソースから、前記トリガーシグナリングを受信した後に最も近いリソースを前記第１ＩＭＲリソースとして確定することを含む。
【００１９】
第１態様又は以上のその任意の１つの可能な実現方法を組み合わせて、第１態様の他の可能な実現方法において、前記トリガーシグナリングはダウンリンク制御情報ＤＣＩシグナリング又はメディアアクセス制御ＭＡＣシグナリングである。
【００２０】
第２態様は、無線通信方法を提供し、
ネットワーク装置が端末装置にトリガーシグナリングを送信し、前記トリガーシグナリングは前記端末装置の非周期的チャネル状態情報参照信号ＣＳＩ−ＲＳリソースを活性化することに用いられるステップと、
第１ＣＳＩの受信と前記トリガーシグナリングの送信との間のタイミング関係に基づいて、前記ネットワーク装置が前記第１ＣＳＩを受信するタイムドメインリソースを確定するステップと、
前記タイムドメインリソースを利用して、端末装置が送信した前記第１ＣＳＩを受信するステップと、を含む。
【００２１】
第２態様を組み合わせて、第２態様の１つの可能な実現方法において、前記第１ＣＳＩは、
ＣＳＩ−ＲＳリソースインジケータＣＲＩ、ランク指示ＲＩ、プリコーディング行列インジケータＰＭＩ、チャネル品質指示ＣＱＩ、チャネル情報の量子化値及び干渉の量子化値の中の少なくとも１つを含む。
【００２２】
第２態様又は以上のその任意の１つの可能な実現方法を組み合わせて、第２態様の他の可能な実現方法において、前記方法は更に、
前記第１ＣＳＩがＣＲＩを含む際に、前記ＣＲＩに基づき、ダウンリンクスケジューリングのダウンリンクビームフォーミングに用いられるビーム情報を取得するステップ、或いは、
前記第１ＣＳＩがランク指示ＲＩ、プリコーディング行列インジケータＰＭＩ及びチャネル品質指示ＣＱＩを含む際に、ＲＩ、ＰＭＩ及びＣＱＩに基づき、前記端末装置に対してダウンリンクデータのスケジューリングを行うステップ、又は、
前記第１ＣＳＩがランク指示ＲＩ及びチャネル品質指示ＣＱＩを含む際に、ＲＩ及びＣＱＩに基づき、前記端末装置に対してダウンリンクデータのスケジューリングを行うステップを含む。
【００２３】
第２態様又はその以上の任意の１つの可能な実現方法を組み合わせて、第２態様の他の可能な実現方法において、前記トリガーシグナリングは第１情報、第２情報及び第３情報の中の少なくとも１つを含み、
前記第１情報は前記第１ＣＳＩに含まれた内容を指示することに用いられ、
前記第２情報はタイミング関係の設定情報であり、前記端末装置が前記タイミング関係の設定情報に基づき、前記タイミング関係を確定することに用いられ、
前記第３情報は前記端末装置が前記第１ＣＳＩを送信する回数を指示することに用いられる。
【００２４】
第３態様は、端末装置を提供し、該端末装置は上記第１態様又はその任意の１つの可能な実現方法の中の方法を実現するためのユニットを備えてよい。
【００２５】
第４態様は、ネットワーク装置を提供し、該ネットワーク装置は上記第２態様又はその任意の１つの可能な実現方法の中の方法を実現するためのユニットを備えてよい。
【００２６】
第５態様は、端末装置を提供し、該端末装置はメモリ及びプロセッサを備えてよく、該メモリは命令を記憶し、該プロセッサはメモリに記憶された命令を呼び出して第１態様又はその任意の１つの選択可能な実現方法の中の方法を実行することに用いられる。
【００２７】
第６態様は、ネットワーク装置を提供し、該ネットワーク装置はメモリ及びプロセッサを備えてよく、該メモリは命令を記憶し、該プロセッサはメモリに記憶された命令を呼び出して第２態様又はその任意の１つの選択可能な実現方法の中の方法を実行することに用いられる。
【００２８】
第７態様は、コンピュータ可読媒体を提供し、前記コンピュータ可読媒体は端末装置又はネットワーク装置が実行するためのプログラムコードを記憶し、前記プログラムコードは第１態様又はその様々な実現方法の中の方法を実行するための命令、又は第２態様又はその様々な実現方法の中の方法を実行するための命令を含む。
【００２９】
第８態様は、システムチップを提供し、該システムチップは入力インターフェース、出力インターフェース、プロセッサ及びメモリを備え、該プロセッサは該メモリにおけるコードを実行することに用いられ、該コードが実行される際に、該プロセッサは前記第１態様及び様々な実現方法の中の方法を実現し、或いは前記第２態様及び様々な実現方法の中の方法を実行することができる。
【発明の効果】
【００３０】
このため、本願の実施例において、端末装置がネットワーク装置が送信したＣＳＩ測定をトリガーするためのトリガーシグナリングを受信した後に、非周期的ＣＳＩ−ＲＳリソースで、ＣＳＩ測定及びＣＳＩフィードバックを行って必要に応じてＣＳＩ測定を行うことを実現することができ、周期的にリアルタイム測定を必要せず、端末装置とネットワーク装置の処理負担を軽減することができ、それにより通信性能を向上させることができ、且つ前記第１ＣＳＩの送信と前記トリガーシグナリングの受信或いは前記ＣＳＩ測定との間のタイミング関係に基づいて、ネットワーク装置にＣＳＩを送信するタイムドメインリソースを確定し、ネットワーク装置が同様の方法でＣＳＩを受信するタイムドメインリソースを確定させることができ、それによりネットワーク装置はＣＳＩを正確に取得することができ、ブラインド検知の方法を使用する必要せず、更に通信性能を向上させることができる。
【図面の簡単な説明】
【００３１】
本願の実施例の技術的解決手段をより明確的に説明するために、以下、実施例又は従来の技術の叙述に使用する必要がある図面を簡単に説明し、明らかで、以下で説明する図面はただ本願の一部の実施例だけであり、当業者にとって、創造的な作業なしに更にこれらの図面に基づいてその他の図面を取得することができる。
【図１】本願の実施例による無線通信システムを示す模式図である。
【図２】本願の実施例による無線通信方法を示す模式的なフローチャートである。
【図３】本願の実施例による無線通信方法を示す模式的なフローチャートである。
【図４】本願の実施例による端末装置を示す模式的なブロック図である。
【図５】本願の実施例によるネットワーク装置を示す模式的なブロック図である。
【図６】本願の実施例による通信装置を示す模式的なブロック図である。
【図７】本願の実施例によるシステムチップを示す模式的なブロック図である。
【発明を実施するための形態】
【００３２】
以下、本願の実施例における図面を参照して、本願の実施例における技術的解決手段を説明し、無論、説明された実施例は全部の実施例ではなく、本願の一部の実施例だけである。本願における実施例に基づいて、当業者は創造的な労働なしに得られたすべての他の実施例は、いずれも本願が保護する範囲に属する。
【００３３】
本願の実施例の技術的解決手段は様々な通信システム、例えば、グローバルモバイル通信（Ｇｌｏｂａｌ  Ｓｙｓｔｅｍ  ｏｆ  Ｍｏｂｉｌｅ  ｃｏｍｍｕｎｉｃａｔｉｏｎ、「ＧＳＭ」と略称）システム、符号分割多元接続（Ｃｏｄｅ  Ｄｉｖｉｓｉｏｎ  Ｍｕｌｔｉｐｌｅ  Ａｃｃｅｓｓ、「ＣＤＭＡ」と略称）システム、広帯域符号分割多元接続（Ｗｉｄｅｂａｎｄ  Ｃｏｄｅ  Ｄｉｖｉｓｉｏｎ  Ｍｕｌｔｉｐｌｅ  Ａｃｃｅｓｓ、「ＷＣＤＭＡ」と略称）システム、一般パケット無線サービス（Ｇｅｎｅｒａｌ  Ｐａｃｋｅｔ  Ｒａｄｉｏ  Ｓｅｒｖｉｃｅ、「ＧＰＲＳ」と略称）、ロングタームエボリューション（Ｌｏｎｇ  Ｔｅｒｍ  Ｅｖｏｌｕｔｉｏｎ、「ＬＴＥ」と略称）システム、ＬＴＥ周波数分割デュプレックス（Ｆｒｅｑｕｅｎｃｙ  Ｄｉｖｉｓｉｏｎ  Ｄｕｐｌｅｘ、「ＦＤＤ」と略称）システム、ＬＴＥ時分割デュプレックス（Ｔｉｍｅ  Ｄｉｖｉｓｉｏｎ  Ｄｕｐｌｅｘ、「ＴＤＤ」と略称）、ユニバーサル移動通信システム（Ｕｎｉｖｅｒｓａｌ  Ｍｏｂｉｌｅ  Ｔｅｌｅｃｏｍｍｕｎｉｃａｔｉｏｎ  Ｓｙｓｔｅｍ、「ＵＭＴＳ」と略称）、グローバル相互接続マイクロ波アクセス（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ、「ＷｉＭＡＸ」と略称）通信システム又は将来の５Ｇシステム等に適用することができる。
【００３４】
図１は本願の実施例が使用される無線通信システム１００を示した。該無線通信システム１００はネットワーク装置１１０を備えてよい。ネットワーク装置１１０は端末装置と通信する装置であってよい。ネットワーク装置１１０は特定の地理的エリアのために通信カバレッジを提供することができ、且つ該カバレッジ領域内に位置する端末装置（例えばＵＥ）と通信することができる。一実施例において、該ネットワーク装置１１０はＧＳＭシステム又はＣＤＭＡシステムにおけるベーストランシーバステーション（Ｂａｓｅ  Ｔｒａｎｓｃｅｉｖｅｒ  Ｓｔａｔｉｏｎ、ＢＴＳ）であってもよいし、ＷＣＤＭＡシステムにおけるノード（ＮｏｄｅＢ、ＮＢ）であってもよいし、ＬＴＥシステムにおける進化ノード（Ｅｖｏｌｕｔｉｏｎａｌ  Ｎｏｄｅ  Ｂ、ｅＮＢ又はｅＮｏｄｅＢ）、或いはクラウド無線アクセスネットワーク（Ｃｌｏｕｄ  Ｒａｄｉｏ  Ａｃｃｅｓｓ  Ｎｅｔｗｏｒｋ、ＣＲＡＮ）におけるワイヤレスコントローラーであってもよく、或いは該ネットワーク装置は中継局、アクセスポイント、車載機器、ウェアラブル機器、将来５Ｇネットワークにおけるネットワーク装置或いは将来の進化公衆陸上モバイルネットワーク（Ｐｕｂｌｉｃ  Ｌａｎｄ  Ｍｏｂｉｌｅ  Ｎｅｔｗｏｒｋ、ＰＬＭＮ）におけるネットワーク装置等であってもよい。
【００３５】
該無線通信システム１００はネットワーク装置１１０のカバレッジ範囲内に位置する少なくとも１つの端末装置１２０を更に備える。端末装置１２０は移動式でも固定式でもよい。一実施例において、端末装置１２０はアクセス端末、ユーザ装置（Ｕｓｅｒ  Ｅｑｕｉｐｍｅｎｔ、ＵＥ）、ユーザユニット、ユーザステーション、移動ステーション、移動局、遠隔局、遠隔端末、モバイル装置、ユーザ端末、端末、無線通信装置、ユーザエージェントまたはユーザ装置を指すことができる。アクセス端末はセルラー電話、コードレス電話、セッション開始プロトコル（Ｓｅｓｓｉｏｎ  Ｉｎｉｔｉａｔｉｏｎ  Ｐｒｏｔｏｃｏｌ、ＳＩＰ）電話、無線ローカルループ（Ｗｉｒｅｌｅｓｓ  Ｌｏｃａｌ  Ｌｏｏｐ、ＷＬＬ）局、パーソナルデジタルアシスタント（Ｐｅｒｓｏｎａｌ  Ｄｉｇｉｔａｌ  Ａｓｓｉｓｔａｎｔ、ＰＤＡ）、無線通信機能を有するハンドヘルド装置、コンピューティング装置又は無線モデムに接続された他の処理装置、車載装置、ウェアラブル装置及び将来５Ｇネットワークにおける端末装置或いは将来進化されたＰＬＭＮにおける端末装置等であってよい。
【００３６】
一実施例において、５Ｇシステム又はネットワークは新しい無線（Ｎｅｗ  Ｒａｄｉｏ、ＮＲ）システム又はネットワークと呼ばれてもよい。
【００３７】
図１は模式的に１つのネットワーク装置及び２つの端末装置を示し、一実施例において、該無線通信システム１００は複数のネットワーク装置を備えてよく、且つ各ネットワーク装置のカバレッジ範囲内はその他の数の端末装置を含んでよく、本願の実施例はこれに対して制限しない。
【００３８】
一実施例において、該無線通信システム１００はネットワークコントローラー、モビリティ管理エンティティ等の他のネットワークエンティティを備えてもよく、本願の実施例はこれに対して制限しない。
【００３９】
理解すべきなのは、本文における用語「システム」及び「ネットワーク」は本文で交換可能に使用される場合が多い。本文における用語「及び／又は」、は、単に関連オブジェクトの関連関係を説明するものであり、三種の関係が存在してよいことを示し、例えば、Ａ及び／又はＢは、単独にＡが存在し、同時にＡとＢが存在し、単独にＢが存在するという三種の場合を示すことができる。また、本文におけるキャラクター「／」は、一般的に前後関連オブジェクトが「又は」の関係であることを示すことを理解すべきである。
【００４０】
図２は本願の実施例による無線通信方法２００を示す模式的なフローチャートである。該方法２００は選択可能に上記無線通信システム１００に使用されることができる。
【００４１】
図２に示すように、該方法２００は以下の内容を含む。
【００４２】
２１０では、端末装置がネットワーク装置から送信されたトリガーシグナリングを受信し、前記トリガーシグナリングは前記端末装置の非周期的チャネル状態情報参照信号ＣＳＩ−ＲＳリソースを活性化することに用いられる。
【００４３】
一実施例において、該トリガーシグナリングは（Ｄｏｗｎｌｉｎｋ  Ｃｏｎｔｒｏｌ  Ｉｎｆｏｒｍａｔｉｏｎ、ＤＣＩ）シグナリング又はメディアアクセス制御（Ｍｅｄｉａ  Ａｃｃｅｓｓ  Ｃｏｎｔｒｏｌ、ＭＡＣ）シグナリングであってよい。
【００４４】
２２０では、該トリガーシグナリングを受信した後に、該端末装置は非周期的ＣＳＩ−ＲＳリソースで、該ＣＳＩ測定を行って第１ＣＳＩを取得する。
【００４５】
一実施例において、端末装置は非周期的ＣＳＩ−ＲＳ伝送のためのリソースから、第１ＣＳＩを取得するための非周期的ＣＳＩ−ＲＳリソースを確定することができる。
【００４６】
ここで、非周期的ＣＳＩ−ＲＳ伝送のためのリソースは非周期的ＣＳＩ−ＲＳに基づく測定に用いられるリソースを指してもよい。該非周期的ＣＳＩ−ＲＳ伝送のためのリソースは周期的リソースであってよく、該リソースで非周期的ＣＳＩ−ＲＳ伝送、即ち非周期的ＣＳＩ−ＲＳに基づく測定を実現することができる。
【００４７】
ここで、非周期的ＣＳＩ−ＲＳ伝送のためのリソースは一般的に１つのネットワーク装置が設定したＣＳＩ−ＲＳリソースであり、その設定情報はタイムドメインオフセット及び周期等を含んでよく、それにより、端末装置は該設定情報に基づき、該非周期的ＣＳＩ−ＲＳ伝送のためのリソースから、第１ＣＳＩを取得するための非周期的ＣＳＩ−ＲＳリソースを確定することができる。前記非周期的ＣＳＩ−ＲＳ伝送のためのリソースは複数の端末で共有されているリソースであってよく、該リソースでは第１ＣＳＩを取得するための非周期的ＣＳＩ−ＲＳリソース以外のリソースは、その他の端末の非周期的ＣＳＩ−ＲＳリソースとされることができ、ネットワーク装置がその他の端末装置が該リソースに基づいてＣＳＩ測定を行うようにトリガーすることに用いられる。
【００４８】
一実施例において、ネットワーク装置は高レベルシグナリング或いはＤＣＩシグナリングによって端末装置へ該非周期的ＣＳＩ−ＲＳ伝送のためのリソースを予め指示することができる。
【００４９】
例えば、ＤＣＩシグナリングによってＭＡＣ層メッセージ或いはＲＲＣメッセージが設定した複数のＣＳＩ−ＲＳリソースから１つのＣＳＩ−ＲＳリソースを該非周期的ＣＳＩ−ＲＳ伝送のためのリソースとして指示することができ、その他のものは周期的ＣＳＩ−ＲＳ伝送のためのリソース、或いは連続ＣＳＩ−ＲＳ伝送のためのリソースとして使用することができる。
【００５０】
１種のリソース設定は１つのＣＳＩ−ＲＳリソースに対応してもよく、即ち複数のＣＳＩ−ＲＳリソースの中の１つのＣＳＩ−ＲＳリソースとその他のＣＳＩ−ＲＳリソースはリソース設定が異なり、例えば、タイムドメインオフセット及び周期の中の少なくとも１種が異なってよい。
【００５１】
一実施例において、端末装置は非周期的ＣＳＩ−ＲＳ伝送のためのリソースの中、該トリガーシグナリングを受信した後に、最も近いリソースを該第１ＣＳＩを取得するための非周期的ＣＳＩ−ＲＳリソースとして確定することができる。
【００５２】
具体的に、端末装置はトリガーシグナリングを受信した後に、１つの非周期的ＣＳＩ−ＲＳ伝送のためのリソースにおける最初に受信できるＣＳＩ−ＲＳ信号に基づいて測定することができる。
【００５３】
或いは、端末装置はトリガーシグナリングを受信した後に、複数の非周期的ＣＳＩ−ＲＳ伝送のためのリソースにおける最も近いリソースをそれぞれ該第１ＣＳＩを取得するための非周期的ＣＳＩ−ＲＳリソースとして確定することができる。
【００５４】
或いは、端末装置はトリガーシグナリングを受信した後に、非周期的ＣＳＩ−ＲＳ伝送のためのリソースの中で、最も近い複数のリソースを該第１ＣＳＩを取得するための非周期的ＣＳＩ−ＲＳリソースとしてもよい。
【００５５】
一実施例において、該第１ＣＳＩを取得するための非周期的ＣＳＩ−ＲＳリソースが複数のＣＳＩ−ＲＳリソースを含むと、端末装置は複数のリソースで伝送されるＣＳＩ−ＲＳ信号が同じビームを使用するか、又は異なるビームを使用すると仮設することができる。或いは、第１ＣＳＩを取得するための非周期的ＣＳＩ−ＲＳリソースが１つのＣＳＩ−ＲＳリソースのみを含むと、端末装置は該リソースで伝送されるＣＳＩ−ＲＳ信号の異なるポートが同じビームを使用するか、又は異なるビームを使用すると仮設することができる。端末装置が異なるビームを使用すると仮設すると、前記第１ＣＳＩにＣＳＩ−ＲＳリソースインジケータ（ＣＳＩ−ＲＳ  ｒｅｓｏｕｒｃｅ  Ｉｎｄｉｃａｔｏｒ、ＣＲＩ）が含まれる必要がある。
【００５６】
一実施例において、該第１ＣＳＩは、ＣＳＩ−ＲＳリソースインジケータ（ＣＳＩ−ＲＳ  ｒｅｓｏｕｒｃｅ  Ｉｎｄｉｃａｔｏｒ、ＣＲＩ）、ランク指示（Ｒａｎｋ  Ｉｎｄｉｃａｔｉｏｎ、ＲＩ）、プリコーディング行列インジケータ（Ｐｒｅ−ｃｏｄｉｎｇ  Ｍａｔｒｉｘ  Ｉｎｄｉｃａｔｏｒ、ＰＭＩ）、チャネル品質情報（Ｃｈａｎｎｅｌ  Ｑｕａｌｉｔｙ  ｉｎｆｏｒｍａｔｉｏｎ、ＣＱＩ）、チャネル情報の量子化値及び干渉の量子化値の中の少なくとも１つを含む。
【００５７】
一実施例において、該チャネル情報の量子化値はチャネル共分散行列の量子化値であってもよいし、チャネル固有ベクトルの量子化値であってもよいし、チャネル推定自体の量子化値であってもよい。
【００５８】
一実施例において、干渉の量子化値は干渉共分散行列又は干渉パワーの量子化値であってよい。
【００５９】
一実施例において、該トリガーシグナリングは第１情報を含んでよく、該第１情報は該第１ＣＳＩに含まれる内容を指示することに用いられ、それにより、該端末装置は該第１情報に基づき、該第１ＣＳＩ−ＲＳリソースで、該ＣＳＩ測定を行って該第１ＣＳＩを取得し、ここで、該第１ＣＳＩは該第１情報に指示された該内容を含む。
【００６０】
ここで、該第１情報は、
ＣＲＩ、或いは
ＲＩ、ＰＭＩ及びＣＱＩ、或いは
ＣＲＩ、ＲＩ、ＰＭＩ及びＣＱＩ、或いは
ＲＩ及びＣＱＩ、或いは
ＣＲＩ、ＲＩ及びＣＱＩの中の１つを指示することに用いられる。
【００６１】
ここで、トリガーシグナリングは第１情報に含まれたビットの取る値によって、第１ＣＳＩに含まれる必要がある内容を指示することができ、例えば、第１情報は１つのビットであってよく、ビットの取る値は２種のＣＳＩコンテンツ、｛ＣＲＩ、ＲＩ／ＰＭＩ／ＣＱＩ｝の１つを指示することができ、例えば、該ビットの取る値が０である場合に、第１ＣＳＩがＣＲＩを含む必要があるのを示し、該ビットの取る値が１である場合に、第１ＣＳＩはＲＩ、ＰＭＩ及びＣＱＩを含む必要があるのを示す。
【００６２】
或いは、該１ビットの取る値は｛ＣＲＩ、ＲＩ／ＰＭＩ／ＣＱＩ／ＣＲＩ｝の１つを指示することができ、或いは、該１ビットの取る値は｛ＣＲＩ、ＲＩ／  ＣＱＩ  ｝の１つを指示することができる。
【００６３】
一実施例において、該端末装置は該第１ＣＳＩに含まれた内容に基づき、
該第１ＣＳＩを取得するための非周期的ＣＳＩ−ＲＳリソースの数及び／又は設定、ＣＳＩ−ＲＳの測定に使用されるＣＳＩ−ＲＳポートの数、及び該第１ＣＳＩを取得するための非周期的ＣＳＩ−ＲＳリソース上でのＣＳＩ−ＲＳ信号の送信ビームの仮定の中の少なくとも１種を確定し、且つその中の少なくとも１種に基づき、該ＣＳＩ測定を行って該第１ＣＳＩを取得する。
【００６４】
ここで、該非周期的ＣＳＩ−ＲＳリソースの設定はリソースタイムドメインオフセット、周期、パワー及びポート数等を含んでよい。
【００６５】
例えば、第１ＣＳＩがＣＲＩのみを有すると、端末装置は複数のＣＳＩ−ＲＳリソースに基づいてＣＳＩ測定を行う必要があり、第１ＣＳＩ内容がＲＩ及びＣＱＩを含むか、或いはＲＩ、ＰＭ及びＣＱＩを含むと、端末装置は１つのＣＳＩ−ＲＳリソースのみに基づいてＣＳＩ測定を行うだけでよい。
【００６６】
例えば、第１ＣＳＩがＣＲＩのみを有すると、端末装置は第１ＣＳＩを取得するための非周期的ＣＳＩ−ＲＳリソースでの前の１つ又は２つのＣＳＩ−ＲＳポート（ポート０又は０、１）に基づいてＣＳＩ測定を行う必要があり、第１ＣＳＩがＲＩ及びＣＱＩを含むか、或いはＲＩ、ＰＭＩ及びＣＱＩを含むと、端末装置は第１ＣＳＩを取得するための非周期的ＣＳＩ−ＲＳリソースでのすべてのＣＳＩ−ＲＳポートに基づいてＣＳＩ測定を行う必要がある。
【００６７】
例えば、第１ＣＳＩ内容にＣＲＩのみを有すると、端末装置は測定が基づくＣＳＩ−ＲＳリソース上での異なるＣＳＩ−ＲＳポートが異なる送信ビームを使用すると仮設し、ＣＳＩ測定を行い、第１ＣＳＩ内容がＲＩ及びＣＱＩを含むか、或いはＲＩ、ＰＭＩ及びＣＱＩを含むと、端末は測定が基づくＣＳＩ−ＲＳリソース上での異なるＣＳＩ−ＲＳポートが同じ送信ビームを使用すると仮設する。
【００６８】
一実施例において、該トリガーシグナリングを受信した後に、端末装置は第１干渉測定リソース（Ｉｎｔｅｒｆｅｒｅ  Ｍｅａｓｕｒｅｍｅｎｔ  Ｒｅｓｏｕｒｃｅ、ＩＭＲ）を確定し、該第１ＩＭＲリソースで、干渉測定を行って干渉結果を取得し、該干渉結果、及び該ＣＳＩ測定を行った結果を組み合わせて、該第１ＣＳＩを取得する。
【００６９】
一実施例において、該端末装置は非周期的干渉測定のためのＩＭＲリソースから、該第１ＩＭＲリソースを確定する。
【００７０】
ここで、非周期的干渉測定のためのＩＭＲリソースは周期的に現れるリソースであってよく、該リソースの設定情報はタイムドメインオフセット及び周期等を含んでよく、それにより、端末装置は該設定情報に基づき、該非周期的干渉測定のためのＩＭＲリソースから、第１ＩＭＲリソースを確定することができる。
【００７１】
一実施例において、ネットワーク装置は高レベルシグナリング或いはＤＣＩシグナリングによって端末装置へ該非周期的干渉測定のためのＩＭＲリソースを予め指示することができる。該ＩＭＲリソースは一般的にＺＰ（Ｚｅｒｏ  Ｐｏｗｅｒ）ＣＳＩ−ＲＳリソースの方法によって設定される。
【００７２】
例えば、ＤＣＩシグナリングによってＭＡＣ層メッセージ或いはＲＲＣメッセージが設定した複数のＩＭＲリソースの中から１つのリソースを非周期的干渉測定のためのＩＭＲリソースとして指示し、その他のものは周期的干渉測定のためのＩＭＲリソース、或いは連続的干渉測定のためのＩＭＲリソースとして使用されることができる。１つのＩＭＲリソースは１つのＺＰ  ＣＳＩ−ＲＳリソースであってよい。
【００７３】
１つのリソース設定は１つのＩＭＲリソースに対応でき、即ち複数のＩＭＲリソースの中の１つのＩＭＲリソースとその他のＩＭＲリソースはリソース設定が異なり、例えば、タイムドメインオフセット及び周期の中の少なくとも１種が異なってもよい。
【００７４】
一実施例において、端末装置は非周期的干渉測定のためのＩＭＲリソースの中で、該トリガーシグナリングを受信した後に、タイムドメインで最も近いリソースを該第１ＩＭＲリソースとして確定することができる。
【００７５】
具体的に、端末装置は非周期的干渉測定のためのＩＭＲリソースの中で最も近い１つのリソースに基づいて、干渉測定を行うことができる。
【００７６】
或いは、端末装置はトリガーシグナリングを受信した後に、複数の非周期的干渉測定のためのＩＭＲリソースにおけるぞれぞれの最も近いリソースをそれぞれ該第１ＩＭＲリソースとして確定することができる。
【００７７】
或いは、端末装置はトリガーシグナリングを受信した後に、非周期的干渉測定のためのＩＭＲリソースの中で、最も近い複数のリソースを該第１ＩＭＲリソースとすることができる。
【００７８】
２３０では、該第１ＣＳＩの送信と該トリガーシグナリングの受信或いは該ＣＳＩ測定との間のタイミング関係に基づいて、該端末装置が該ネットワーク装置へ該第１ＣＳＩを送信するタイムドメインリソースを確定する。
【００７９】
一実施例において、本願の実施例が言及した前記タイミング関係は一般的に、異なるイベント間に異なるタイムドメイン伝送単位、例えば、タイムスロット或いはサブフレームの数を指す。例えば、該第１ＣＳＩの送信とトリガーシグナリングの受信とのタイミング関係であってもよいし、或いは、該第１ＣＳＩの送信とＣＳＩ測定との間のタイミング関係であってもよい。
【００８０】
一実施例において、端末装置は該第１ＣＳＩに含まれた内容に基づき、該タイミング関係を確定することができる。
【００８１】
一実施例において、端末装置は該第１ＣＳＩに含まれた内容に基づき、複数のタイミング関係から、本回で第１ＣＳＩのフィードバックに使用されるタイミング関係を選択することができる。
【００８２】
具体的に、異なるＣＳＩ内容は端末装置によって処理されるための時間が異なるため、対応するフィードバック遅延も異なり、異なるタイミング関係を使用する必要がある。
【００８３】
例えば、第１ＣＳＩにＣＲＩのみが含まれると、より短いフィードバック遅延を使用することができ、例えばトリガーシグナリングの受信とＣＳＩフィードバックとの間の違いは１つのタイムスロットである。
【００８４】
例えば、第１ＣＳＩがＲＩ、ＰＭＩ及びＣＱＩを含むか、或いはＲＩ及びＣＱＩを含むと、より長いフィードバック遅延を使用することができ、例えばトリガーシグナリングの受信とＣＳＩフィードバックとの間の違いは２つのタイムスロットであり、
例えば、第１ＣＳＩがチャネル共分散行列を含むか、或いは干渉共分散行列を含むと、より長いフィードバック遅延を必要とし、例えばトリガーシグナリングの受信とＣＳＩフィードバックとの間の違いは３つのタイムスロットである。
【００８５】
一実施例において、該複数のタイミング関係はネットワーク装置により端末装置に送信されてもよく、例えばトリガーシグナリングに携えられてもよく、即ち端末装置はトリガーシグナリングのタイミング関係の設定情報から、複数のタイミング関係を確定することができ、ここで、該タイミング関係の設定情報の中で、各種のタイミング関係が適用するＣＳＩ内容を指示することができる。
【００８６】
一実施例において、該複数のタイミング関係は同じ指示フィールドで指示することができ、即ち異なるＣＳＩ内容に対して、同じ指示フィールドで指示するタイミング関係が異なる。
【００８７】
例えば、表１に示すように、タイミング関係指示フィールドは２つの２ビットを含んでよく、指示フィールドのビットの取る値が０１であると仮設すると、第１ＣＳＩがＣＲＩのみを含む場合に、フィードバックする遅延Ｎ（即ちトリガーシグナリングの受信とＣＳＩの報告との違いのタイムドメインリソース単位の数）が１であり、第１ＣＳＩがＲＩ、ＰＭＩ及びＣＱＩを含む場合に、フィードバックする遅延Ｎが２であることを示す。
【００８８】
【表１】
0006895528.tif 000002
勿論、本願の実施例において、トリガーシグナリングに携えられたタイミング関係の設定情報は１つのタイミング関係のみを指示してもよく、即ち該タイミング関係はいずれの内容を含むＣＳＩに適用される。
【００８９】
一実施例において、特別なＣＳＩ内容に対して、ネットワーク装置は高レベルシグナリングによって複数のタイミング関係を予め設定し、更にトリガーシグナリングによってその中の１つのタイミング関係を指示してよい。
【００９０】
勿論、ネットワーク装置が高レベルシグナリングによって予め設定する複数のタイミング関係は特定の内容にターゲティングしなくてもよく、即ち全てのＣＳＩ内容のいずれにも適用でき、トリガーシグナリングが指示するタイミング関係はすべてのＣＳＩ内容に適用できる。
【００９１】
２４０では、該タイムドメインリソースを使用して、該端末装置が該ネットワーク装置に該第１ＣＳＩを送信する。
【００９２】
一実施例において、端末装置は該ネットワーク装置に該第１ＣＳＩを複数回送信することができる。
【００９３】
一実施例において、該トリガーシグナリングは第３情報を含み、該第３情報は該端末装置が該第１ＣＳＩを送信する回数を指示することに用いられ、該第３情報が指示する送信回数に基づき、該端末装置は該ＣＳＩを送信する。
【００９４】
一実施例において、該第１ＣＳＩを複数回送信する際に、毎回送信される該第１ＣＳＩと他の回で送信される第１ＣＳＩに対応する測定設定情報が異なる。
【００９５】
一実施例において、測定設定情報は測定したリソースの設定情報を含んでよく、タイムドメインリソース情報、空域リソース情報、周波数領域リソース情報及びコードドメインリソース情報の中の任意の１種を含んでもよい。
【００９６】
ここで、タイムドメインリソース情報はタイムドメインリソースの周期及びオフセット等を含んでよい。空域リソースはＣＳＩ−ＲＳの送信ビームを含んでよい。
【００９７】
図３は本願の実施例による無線通信方法３００を示す模式的なフローチャートである。図３に示すように、該方法３００は以下の内容を含む。
【００９８】
３１０では、ネットワーク装置が端末装置にトリガーシグナリングを送信し、前記トリガーシグナリングは前記端末装置の非周期的チャネル状態情報参照信号ＣＳＩ−ＲＳリソースを活性化することに用いられる。
【００９９】
３２０では、第１ＣＳＩの受信と該トリガーシグナリングの送信との間のタイミング関係に基づいて、該ネットワーク装置が該第１ＣＳＩを受信するタイムドメインリソースを確定する。
【０１００】
勿論、本願の実施例において、ネットワーク装置は第１ＣＳＩの受信と端末装置が行うＣＳＩ測定との間のタイミング関係に基づいて、該ネットワーク装置は該第１ＣＳＩを受信するタイムドメインリソースを確定してもよい。ここで、ネットワーク装置は端末装置の非周期的ＣＳＩ−ＲＳ伝送に使用できるリソース、及び該トリガーシグナリングを送信するタイムドメインリソースに基づいて、端末装置がＣＳＩ測定を行う時間を見積もることができる。
【０１０１】
３３０では、該タイムドメインリソースを使用して、端末装置が送信した該第１ＣＳＩを受信する。
【０１０２】
一実施例において、該第１ＣＳＩは、ＣＲＩ、ＲＩ、ＰＭＩ、ＣＱＩ、チャネル情報の量子化値及び干渉の量子化値の中の少なくとも１つを含む。
【０１０３】
一実施例において、該第１ＣＳＩがＣＲＩを含む際に、該ＣＲＩに基づき、ダウンリンクスケジューリングのダウンリンクビームフォーミングのためのビーム情報を取得する。
【０１０４】
具体的に、ダウンリンクスケジューリングはダウンリンクプリコーディングを含んでよく、ネットワーク装置はダウンリンクビームフォーミングのビーム情報を使用してダウンリンクプリコーディングを行うことができる。
【０１０５】
一実施例において、該第１ＣＳＩがＲＩ、ＰＭＩ及びＣＱＩを含む際に、ＲＩ、ＰＭＩ及びＣＱＩに基づき、該端末装置に対してダウンリンクデータのスケジューリングを行う。
【０１０６】
一実施例において、前記第１ＣＳＩがランク指示ＲＩ及びチャネル品質指示ＣＱＩを含む際に、ＲＩ及びＣＱＩに基づき、前記端末装置に対してダウンリンクデータのスケジューリングを行う。一実施例において、該トリガーシグナリングは第１情報、第２情報及び第３情報の中の少なくとも１種を含み、ここで、
該第１情報は該第１ＣＳＩに含まれた内容を指示することに用いられ、
該第２情報はタイミング関係の設定情報であり、該端末装置が該タイミング関係の設定情報に基づき、該タイミング関係を確定することに用いられ、
該第３情報は該端末装置が該第１ＣＳＩを送信する回数を指示することに用いられる。
【０１０７】
理解すべきなのは、方法３００におけるネットワーク装置は方法２００に言及した端末装置が実現する対応した機能を実現することができ、簡潔にするために、ここでは繰り返して説明しない。
【０１０８】
このため、本願の実施例において、端末装置はネットワーク装置が送信したＣＳＩ測定をトリガーするためのトリガーシグナリングを受信した後に、非周期的号ＣＳＩ−ＲＳリソースで、ＣＳＩ測定及びＣＳＩフィードバックを行い、必要に応じてＣＳＩ測定を行うことを実現することができ、周期的にリアルタイム測定を必要せず、端末装置とネットワーク装置の処理負担を軽減することができ、それにより通信性能を向上させることができ、且つ前記第１ＣＳＩの送信と前記トリガーシグナリングの受信或いは前記ＣＳＩ測定との間のタイミング関係に基づいて、ネットワーク装置にＣＳＩを送信するタイムドメインリソースを確定し、ネットワーク装置が同様の方法でＣＳＩを受信するタイムドメインリソースを確定させることができ、それによりネットワーク装置はＣＳＩを正確に取得すことができ、ブラインド検知の方法を使用する必要せず、更に通信性能を向上させることができる。
【０１０９】
図４は本願の実施例による端末装置４００を示す模式的なブロック図である。図４に示すように、該端末装置４００は送受信ユニット４１０及び処理ユニット４２０を備える。
【０１１０】
該送受信ユニット４１０は、ネットワーク装置が送信したトリガーシグナリングを受信することに用いられ、前記トリガーシグナリングは前記端末装置の非周期的チャネル状態情報参照信号ＣＳＩ−ＲＳリソースを活性化することに用いられ、
該処理ユニット４２０は、該送受信ユニットが該トリガーシグナリングを受信した後に、非周期的チャネル状態情報参照信号ＣＳＩ−ＲＳリソースで、該ＣＳＩ測定を行って第１ＣＳＩを取得することに用いられ、
該処理ユニット４２０は更に、該第１ＣＳＩの送信と該トリガーシグナリングの受信或いは該ＣＳＩ測定との間のタイミング関係に基づいて、該ネットワーク装置へ該第１ＣＳＩを送信するタイムドメインリソースを確定することに用いられ、
該送受信ユニット４１０は更に、該タイムドメインリソースを使用して、該ネットワーク装置へ該第１ＣＳＩを送信することに用いられる。
【０１１１】
一実施例において、該第１ＣＳＩは、
ＣＳＩ−ＲＳリソースインジケータＣＲＩ、ランク指示ＲＩ、プリコーディング行列インジケータＰＭＩ、チャネル品質情報ＣＱＩ、チャネル情報の量子化値及び干渉の量子化値の中の少なくとも１つを含む。
【０１１２】
一実施例において、該処理ユニット４２０は更に、
該第１ＣＳＩに含まれた内容に基づき、
該非周期的ＣＳＩ−ＲＳリソース、ＣＳＩ−ＲＳの測定に使用されたＣＳＩ−ＲＳポートの数、及び該非周期的ＣＳＩ−ＲＳリソース上でのＣＳＩ−ＲＳ信号の送信ビームの仮定の中の少なくとも１種を確定し、且つその中の少なくとも１種に基づき、該ＣＳＩ測定を行って該第１ＣＳＩを取得することに用いられる。
【０１１３】
一実施例において、該処理ユニット４２０は更に、該第１ＣＳＩの送信と該トリガーシグナリングの受信及び該ＣＳＩ測定の間のタイミング関係に基づいて、該ネットワーク装置へ該第１ＣＳＩを送信するタイムドメインリソースを確定する前に、該第１ＣＳＩに含まれる内容に基づき、該タイミング関係を確定することに用いられる。
【０１１４】
一実施例において、該トリガーシグナリングは第１情報を含み、該第１情報は該第１ＣＳＩに含まれる内容を指示することに用いられ、
該処理ユニット４２０は更に、
該第１情報に基づき、該第１ＣＳＩ−ＲＳリソースで、該ＣＳＩ測定を行って該第１ＣＳＩを取得することに用いられ、該第１ＣＳＩは該第１情報に指示される該内容を含む。
【０１１５】
一実施例において、該第１情報は、
ＣＲＩ、或いは
ＲＩ、ＰＭＩ及びＣＱＩ、或いは
ＣＲＩ、ＲＩ、ＰＭＩ及びＣＱＩ、或いは
ＲＩ及びＣＱＩ、或いは
ＣＲＩ、ＲＩ及びＣＱＩの中の１つを指示することに用いられる。
【０１１６】
一実施例において、該トリガーシグナリングは第２情報を含み、該第２情報はタイミング関係の設定情報であり、
該処理ユニット４２０は更に、該第１ＣＳＩの送信と該トリガーシグナリングの受信或いは該ＣＳＩ測定との間のタイミング関係に基づいて、該ネットワーク装置へ該第１ＣＳＩを送信するタイムドメインリソースを確定する前に、該タイミング関係の設定情報に基づき、該第１ＣＳＩの送信と該トリガーシグナリングの受信或いは該ＣＳＩ測定との間のタイミング関係を確定することに用いられる。
【０１１７】
一実施例において、該送受信ユニット４１０は更に、
該ネットワーク装置へ該第１ＣＳＩを複数回送信することに用いられる。
【０１１８】
一実施例において、該トリガーシグナリングは第３情報を含み、該第３情報は該端末装置が該第１ＣＳＩを送信する回数を指示することに用いられ、
該送受信ユニット４１０は更に、該第３情報が指示した送信回数に基づき、該ＣＳＩを送信することに用いられる。
【０１１９】
一実施例において、複数回送信する際に、毎回送信される該第１ＣＳＩと他の回に送信された第１ＣＳＩに対応する測定設定情報が異なる。
【０１２０】
一実施例において、該処理ユニット４２０は更に、非周期的ＣＳＩ−ＲＳリソースで、該ＣＳＩ測定を行って第１ＣＳＩを取得する前に、非周期的ＣＳＩ−ＲＳ伝送のためのリソースから、該トリガーシグナリングを受信した後にタイムドメイン上で最も近いリソースを該非周期的ＣＳＩ−ＲＳリソースとして確定することに用いられる。
【０１２１】
一実施例において、該処理ユニット４２０は更に、
該トリガーシグナリングを受信した後に、第１干渉測定リソースＩＭＲを確定すること、
該第１ＩＭＲリソースで、干渉測定を行って干渉結果を取得すること、
該干渉結果、及び該ＣＳＩ測定を行った結果を組み合わせて、該第１ＣＳＩを取得することに用いられる。
【０１２２】
一実施例において、該処理ユニット４２０は更に、
非周期的干渉測定のためのＩＭＲリソースから、該トリガーシグナリングを受信した後にタイムドメイン上で最も近いリソースを該第１ＩＭＲリソースとして確定することに用いられる。
【０１２３】
一実施例において、該トリガーシグナリングはダウンリンク制御情報ＤＣＩシグナリング又はメディアアクセス制御ＭＡＣシグナリングである。
【０１２４】
理解すべきなのは、該端末装置４００は方法２００における端末装置に対応でき、該端末装置の対応した機能を実現することができ、簡潔にするために、ここでは繰り返して説明しない。
【０１２５】
図５は本願の実施例によるネットワーク装置５００を示す模式的なブロック図である。図５に示すように、該ネットワーク装置５００は送受信ユニット５１０及び処理ユニット５２０を含み、
該送受信ユニット５１０は、端末装置へトリガーシグナリングを送信することに用いられ、前記トリガーシグナリングは前記端末装置の非周期的チャネル状態情報参照信号ＣＳＩ−ＲＳリソースを活性化することに用いられ、
該処理ユニット５２０は、第１ＣＳＩの受信と該トリガーシグナリングの送信との間のタイミング関係に基づいて、該第１ＣＳＩを受信するタイムドメインリソースを確定することに用いられ、
該送受信ユニット５１０は更に、該タイムドメインリソースを使用して、端末装置が送信した該第１ＣＳＩを受信することに用いられる。
【０１２６】
一実施例において、該第１ＣＳＩは、
ＣＳＩ−ＲＳリソースインジケータＣＲＩ、ランク指示ＲＩ、プリコーディング行列インジケータＰＭＩ、チャネル品質指示ＣＱＩ、チャネル情報の量子化値及び干渉の量子化値の中の少なくとも１つを含む。
【０１２７】
一実施例において、該処理ユニットは更に、
該第１ＣＳＩがＣＲＩを含む際に、該ＣＲＩに基づき、ダウンリンクスケジューリングのダウンリンクビームフォーミングのためのビーム情報を取得すること、或いは、
該第１ＣＳＩがＲＩ、ＰＭＩ及びＣＱＩを含む際に、ＲＩ、ＰＭＩ及びＣＱＩに基づき、該端末装置に対してダウンリンクデータのスケジューリングを行うこと、或いは、
前記第１ＣＳＩがランク指示ＲＩ及びチャネル品質指示ＣＱＩを含む際に、ＲＩ及びＣＱＩに基づき、前記端末装置に対してダウンリンクデータのスケジューリングを行うことに用いられる。
【０１２８】
一実施例において、該トリガーシグナリングは第１情報、第２情報及び第３情報の中の少なくとも１種を含み、
該第１情報は該第１ＣＳＩに含まれた内容を指示することに用いられ、
該第２情報はタイミング関係の設定情報であり、該端末装置が該タイミング関係の設定情報に基づき、該タイミング関係を確定することに用いられ、
該第３情報は該端末装置が該第１ＣＳＩを送信する回数を指示することに用いられる。
【０１２９】
理解すべきなのは、該ネットワーク装置５００は方法３００におけるネットワーク装置に対応でき、該ネットワーク装置の対応した機能を実現することができ、簡潔にするために、ここでは繰り返して説明しない。
【０１３０】
図６は本願の実施例による通信装置６００を示す模式的なブロック図である。図６に示すように、該通信装置６００はプロセッサ６１０及びメモリ６２０を備える。該メモリ６２０はプログラムコードを記憶することができ、該プロセッサ６１０は該メモリ６２０に記憶されたプログラムコードを実行することができる。
【０１３１】
一実施例において、図６に示すように、該通信装置６００はトランシーバー６３０を備えてもよく、プロセッサ６１０はトランシーバー６３０が外部と通信するように制御することができる。
【０１３２】
一実施例において、該プロセッサ６１０はメモリ６２０に記憶されたプログラムコードを呼び出し、図２に示すような方法２００における端末装置の対応した操作を実行することができ、簡潔にするために、ここでは繰り返して説明しない。
【０１３３】
一実施例において、該プロセッサ６１０はメモリ６２０に記憶されたプログラムコードを呼び出し、図３に示すような方法３００におけるネットワーク装置の対応した操作を実行することができ、簡潔にするために、ここでは繰り返して説明しない。
【０１３４】
図７は本願の実施例によるシステムチップ７００を示す１つの模式的な構造図である。図７のシステムチップ７００は通信接続によって接続された入力インターフェース７０１、出力インターフェース７０２、該プロセッサ７０３とメモリ７０４とを備え、該プロセッサ７０３は該メモリ７０４におけるコードを実行することに用いられる。
【０１３５】
一実施例において、該コードが実行される際に、該プロセッサ７０３は図２に示すような方法２００において端末装置により実行される方法を実現する。簡潔にするために、ここでは繰り返して説明しない。
【０１３６】
一実施例において、該コードが実行される際に、該プロセッサ７０３は図３に示すような方法３００においてネットワーク装置により実行される方法を実現する。簡潔にするために、ここでは繰り返して説明しない。
【０１３７】
当業者は、本文に開示された実施例に記載の各例示のユニット及びアルゴリズムステップを組み合わせて、電子ハードウェア、又はコンピュータソフトウェア及び電子ハードウェアの組み合わせで実現することができることを認識することができる。これらの機能がハードウェアで実行するかソフトウェアで実行するかは、技術案の特定のアプリケーションおよび設計制約条件によって決められる。当業者は各特定のアプリケーションに対して異なる方法で説明した機能を実現することができるが、このような実現は本願の範囲を超えると考えられない。
【０１３８】
当業者は、便利且つ簡単に説明するために、上記に記載のシステム、装置及びユニットの具体的な作業過程は、上記方法の実施例における対応過程を参照することができ、ここで繰り返して説明しないことを明らかに了解する。
【０１３９】
本願によるいくつかの実施例において、開示したシステム、装置及び方法は、その他の手段によって実現されることができることを理解すべきである。例えば以上のような装置実施例は単に例示的なものだけであり、例えば、前記ユニットの分割は、ロジック機能分割だけであり、実際な実現時に別の分割方式があってもよいし、例えば、複数のユニット又は組立部品を結合してもよいし、又は別のシステムに集積してもよいし、又はいくつかの特徴を無視でき、又は実行しなくてもよい。また、表示又は検討した互いの間のカップリング、又は直接カップリング、又は通信接続はいくつかのインターフェース、装置又はユニットによる間接カップリング又は通信接続であってよく、電気的、機械的又はその形式の接続であってよい。
【０１４０】
上記の分離部材として説明したユニットは物理的に分離してもよいし、又は分離しなくてもよく、ユニットとして表示する部材は物理ユニットであってもよいし、又は物理ユニットではなくてもよく、即ち１つの場所に位置してもよいし、複数のネットワークユニットに分布してもよい。実際の需要に応じてその中の一部又は全部のユニットを選択して本実施例手段の目的を実現することができる。
【０１４１】
また、本願の各実施例における各機能ユニットは１つの処理ユニットに集積されてもよいし、各ユニットは単独に物理的に存在してもよいし、２つ又は２つ以上のユニットは１つのユニットに集積されてもよい。
【０１４２】
前記機能はソフトウェア機能ユニットの形式で実現するとともに独立した製品として販売又は使用される場合、1つのコンピュータ読み取り可能な記憶媒体に記憶することができる。このような理解に基づいて、本願の技術的解決手段は本質的或いは従来技術に貢献する部分或いは該技術的解決手段の部分はソフトウェア製品の形式で表現することができ、該コンピュータソフトウェア製品が１つの記憶媒体に記憶され、一台のコンピュータ設備（パーソナルコンピュータ、サーバー、或いはネットワーク装置等であってよい）が本発明の各実施例に記載の方法の全部又は一部のステップを実行するための若干の指令を含む。前述の記憶媒体は、Ｕディスク、モバイルハードディスク、読み出し専用記憶装置（ＲＯＭ、Ｒｅａｄ−Ｏｎｌｙ  Ｍｅｍｏｒｙ）、ランダムアクセスメモリ（ＲＡＭ、Ｒａｎｄｏｍ  Ａｃｃｅｓｓ  Ｍｅｍｏｒｙ）、ディスク或いはＣＤ等の様々なプログラムコードを記憶できる媒体を含む。
【０１４３】
以上のように、単に本願の具体的な実施形態であるが、本願の保護範囲はこれに限定されず、当業者は誰でも、本願に開示された技術範囲において、変化又は置換を考えやすく、それらはすべて本願の保護範囲に含まれる。このため、本願の保護範囲は前記請求の範囲の保護範囲を基準とすべきである。
【図１】
0006895528.tif 000003
【図２】
0006895528.tif 000004
【図３】
0006895528.tif 000005
【図４】
0006895528.tif 000006
【図５】
0006895528.tif 000007
【図６】
0006895528.tif 000008
【図７】
0006895528.tif 000009